(57)【要約】【課題】携帯電子機器のストラップ固定構造において、ストラップの取り外しを容易にする。【解決手段】携帯電話筺体１のストラップ穴２内に設けられた２本のピン４ａ及び４ｂと、２本のパイプ３ａ及び３ｂで、ストラップ５が結び付けられるストラップ固定部として機能する。パイプ３ａ及び３ｂは、ピン４ａ及び４ｂに回転自在に貫通されている。ストラップ５取り付け時は、パイプ３ａ及び３ｂが回転することで、ストラップ穴２へのストラップ５の挿入、排出を助ける。又、ストラップ５を外す時は、パイプ３ａ及び３ｂ間の凹部にピンセット６等を挿入するだけでストラップ５の結び目を緩められるので、ストラップ５をピンセット６で簡単につかみやすく、ストラップ５を容易に外せる。【選択図】      図１
2008092522.tif 000002
【特許請求の範囲】
【請求項１】
携帯電子機器の筐体に設けられたストラップ穴を通してストラップを固定するストラップ固定構造において、前記ストラップが結び付けられるストラップ固定部の外側に凹部が設けられていることを特徴とするストラップ固定構造。
【請求項２】
前記ストラップ固定部が、平行配置された２本のピンで構成され、この２本のピンの間が前記凹部であることを特徴とする請求項１記載のストラップ固定構造。
【請求項３】
前記ストラップ固定部が、前記筐体の一部で構成されていることを特徴とする請求項１記載のストラップ固定構造。
【請求項４】
前記ストラップ固定部が、平行配置された２本のピンと、この２本のピンの各々が貫通されて設けられた２本のパイプで構成され、
この２本のパイプの間が前記凹部であることを特徴とする請求項１記載のストラップ固定構造。
【請求項５】
前記２本のパイプの各々は、貫通された前記ピンに対して回転自在であることを特徴とする請求項４記載のストラップ固定構造。
【請求項６】
前記２本のパイプは、互いに接触しないように、前記ピンに貫通されていることを特徴とする請求項５記載のストラップ固定構造。
【請求項７】
請求項１乃至６の何れか１つに記載のストラップ固定構造を備えたことを特徴とする携帯電子機器。
【発明の詳細な説明】
【技術分野】
【０００１】
本発明は、ストラップ固定構造及びその構造を備えた携帯電子機器に関する。
【背景技術】
【０００２】
例えば、携帯電話機のような携帯電子機器は、携帯に便利なようにストラップを取り付ける構造を備えている。そのストラップの固定は、その先端を携帯電子機器本体の端部に設けたストラップ穴に通して固定する構造が一般的である。
【０００３】
従来構造について図面を参照して説明する。図５（ａ）及び（ｂ）は、従来のストラップ固定構造の一例を示す断面図及び一部分拡大斜視図である。これらの図に示すように、ストラップ５の先端の輪状部分が、携帯電話機筐体のストラップ穴２内部に挿入され、内部に設けられたピン１１の奥側を通して外側に出てきた輪状部分にストラップ５全体を通すことで、ピン１１に対して結び付けられている。このピン１１が、ストラップ５を結び付けるストラップ固定部として機能する。又、図６（ａ）及び（ｂ）は、従来のストラップ固定構造の他の例を示す断面図及び一部分拡大斜視図である。これらの図においては、携帯電話機の筐体の一部を、ストラップ固定部としての固定柱１２としている。ストラップ５を、ストラップ穴２を通してこの固定柱１２に対して結び付けることで、ストラップ５は固定される。
【０００４】
このような従来のストラップ固定構造は、例えば、特開２００１−９４６５０号公報（特許文献１）にも開示されている。
【０００５】
【特許文献１】特開２００１−９４６５０号公報（図７）
【発明の開示】
【発明が解決しようとする課題】
【０００６】
しかしながら、このような従来のストラップ固定構造は、ストラップの結び目を緩めることが困難な為にストラップを外しにくかった。即ち、図５（ａ）及び（ｂ）に示す従来構造では、ストラップ固定部にストラップ５が締め付けにより密着しているので、ストラップ５を摘んで結び目を緩めようとしても、ストラップ５が細く掴むのが非常に難しいため、外しにくかった。又、図６（ａ）及び（ｂ）に示す従来構造では、結び目が筺体外面より奥にあると、結び目に爪などを引っ掛けにくく、やはり外しにくい。例え、ピンセット等を用いてストラップの結び目を解こうとしても、強固に締まっている場合はピンセットで摘む為の隙間が無く、無理にストラップを摘もうとしてピンセットで固定柱や筐体表面を傷つけてしまう可能性があった。
【０００７】
本発明の目的は、このような従来の課題を解決したストラップ固定構造及びそのストラップ固定構造を備えた携帯電子機器を提供することにある。
【課題を解決するための手段】
【０００８】
本発明は、携帯電子機器の筐体に設けられたストラップ穴を通してストラップを固定するストラップ固定構造において、前記ストラップが結び付けられるストラップ固定部の外側に凹部が設けられていることを特徴とする。
【０００９】
又、本発明のストラップ固定構造において、前記ストラップ固定部が、平行配置された２本のピンで構成され、この２本のピンの間が前記凹部であっても良い。
【００１０】
又、本発明のストラップ固定構造において、前記ストラップ固定部が、前記筐体の一部で構成されていても良い。
【００１１】
又、本発明のストラップ固定構造において、前記ストラップ固定部が、平行配置された２本のピンと、この２本のピンの各々が貫通されて設けられた２本のパイプで構成され、この２本のパイプの間が前記凹部であっても良い。
【００１２】
又、本発明のストラップ固定構造において、前記２本のパイプの各々は、貫通された前記ピンに対して回転自在であっても良い。
【００１３】
又、本発明のストラップ固定構造において、前記２本のパイプは、互いに接触しないように、前記ピンに貫通されていても良い。
【００１４】
又、本発明の携帯電子機器は、上記のストラップ固定構造を備えたことを特徴とする。
【発明の効果】
【００１５】
本発明によれば、ストラップ固定部に凹部を設けることにより、ピンセットその他の工具等を挿入して、ストラップを摘みやすくすることが可能となり、ストラップの取り外しが容易となる。
【発明を実施するための最良の形態】
【００１６】
次に、本発明を実施するための最良の形態について図面を参照して詳細に説明する。図１（ａ）は、本発明の一実施形態を示す外観図である。図１（ｂ）は、図１（ａ）のストラップ固定部付近の拡大斜視図である。図１（ｃ）は、図１（ｂ）のＡ−Ａ線断面を概略的に示す図である。図１においては、携帯電子機器として折り畳み式の携帯電話機筐体１に適用した例を示すが、必ずしもこれには限定されない。
【００１７】
本発明の一実施形態によるストラップ固定構造は、図１（ｂ）及び（ｃ）に示すように、携帯電話機筺体１の折り畳みヒンジ部近傍に設けられたストラップ穴２と、このストラップ穴２内に設けられた２本のピン４ａ及び４ｂと、２本のパイプ３ａ及び３ｂとを有している。２本のピン４ａ及び４ｂと、２本のパイプ３ａ及び３ｂで、ストラップ５が結び付けられるストラップ固定部として機能する。
【００１８】
２本のピン４ａ及び４ｂは、それぞれの端部がストラップ穴２内部の対向する２面（例えば、天面と底面）に固定されている。パイプ３ａ及び３ｂは、ストラップ５が直接結びつけられる部材である。このパイプ３ａ及び３ｂの各々には、２本のピン４ａ及び４ｂが各々貫通されており、ストラップ穴２から脱落しないようになっている。
【００１９】
ここで、２本のピン４ａ及び４ｂは、互いが接触しないように適度な間隔を空けて互いに平行に設けられている。更に、２本のパイプ３ａ及び３ｂの内径は、ピン４ａ及び４ｂの外径より大きくされている。よって、２本のパイプ３ａ及び３ｂは、ピン４ａ及び４ｂに貫通された状態でピン４ａ及び４ｂを軸として回転することが出来る。この時、２本のパイプ３ａ及び３ｂは、互いに接触しないように、ピン４ａ及び４ｂの位置や外径、パイプ３ａ及び３ｂの内径が調整されている。
【００２０】
次に、本発明を実施するための最良の形態の動作について図面を参照して説明する。本発明の一実施形態によりストラップを固定するには、図２（ａ）に示すように、まずストラップ５をストラップ穴２に入れていく。ストラップ５の先端（輪状部分）がパイプ３ａ及び３ｂに接触すると、このパイプ３ａ及び３ｂを回転させ（図２（ａ）では、共に反時計回り）、その回転力でストラップ５は強制的に搬送されるため途中で詰まりにくくなっている。
【００２１】
尚、パイプ３ａ及び３ｂの表面に、ゴム塗装や凹凸処理を施しても良い。そのようにすれば、ストラップ５との間に摩擦がおきやすくなるのでより搬送しやすい状態となる。
【００２２】
又、上述のように、２つのパイプ３ａ及び３ｂは、双方が接触しないように配置されている。これにより、接触による相手パイプの回転動力を受けて、ストラップ５の挿入を妨げる逆回転になることがないように配慮してある。このようにして、比較的簡単にストラップ穴２を通過したストラップ５は、図２（ｂ）に示すようにパイプ３ａ及び３ｂに結び付け固定することが可能になる。尚、この固定状態において、ストラップ５で縛り付けられた２つのパイプ３ａ及び３ｂは、その内面がそれぞれピン４ａ及び４ｂに押し付けられた状態になるので、ストラップ５を揺すってもピン４ａ及び４ｂとパイプ３ａ及び３ｂがぶつかって騒音が発生することはない。
【００２３】
次に、ストラップ５を取り外す場合を説明する。図２（ｂ）に示すように、ストラップ固定状態において、２つのパイプ３ａ及び３ｂの間（筐体の外側）には凹部が形成されている。図２（ｃ）に示すように、携帯電話機筐体１の外側から、この凹部にピンセット６等の先が尖ったものを挿入することが出来る。これにより、２つのパイプ３ａ及び３ｂは、それぞれピンセット６外側に移動することになり、この力がパイプ３ａ及び３ｂに跨って結ばれているストラップ５に働き、その結び目を緩めて、ストラップ５の結び輪が大きくなる。次に、ピンセット６を引き抜くとパイプ３ａ及び３ｂはピンセット６による外力から開放され、パイプ３ａ及び３ｂは各々内側（互いに近づく方向）に移動する。これにより、図２（ｄ）に示すように、パイプ３ａ及び３ｂとストラップ５との間に隙間ができるので、ストラップ５をピンセット６でつまんで引っ張ることで容易にストラップ５を外すことが可能になる。
【００２４】
以上説明したように、本実施形態によれば、ストラップ５を取り付けるときは、パイプ３ａ及び３ｂを回転させることで、ストラップ穴２からストラップ５を強制排出できるので、ストラップ穴２内でストラップ５が詰まりにくい。更に、ストラップ５の腰の強さを利用して挿入するわけではないので、従来構造のようにストラップ５の引っかかりを恐れてストラップ穴２の空間を大きくする必要がないために、固定部周りの面積を小さくできる。又、ストラップ５を外すときは、ピンセット６等を挿入するだけでストラップ５の結び目を緩められるので、ストラップ５をピンセット６で簡単につかみやすく、ストラップ５の交換を簡単に行うことができる。
【００２５】
次に、本発明の他の実施形態について説明する。図３（ａ）及び（ｂ）は、各々、本発明の他の実施形態を示す断面図及び一部分拡大斜視図である。この実施形態は、図１の実施形態に比べて、部品数を減らした例である。図１におけるパイプ３ａ及び３ｂを除去し、ピン４ａ及び４ｂがピン７ａ及び７ｂに変更されている。従って、このピン７ａ及び７ｂで、ストラップ５が結び付けられるストラップ固定部として機能する。２本のピン７ａ及び７ｂは若干の間隔を持って設けられているので、ここに凹部が形成される。図１の実施形態と比較すると、ストラップ５の取り付け時の効果は無くなり、取り外しの効果も半減してしまうが、ストラップ５を取り外すときは２つのピン７ａ及び７ｂの間の凹部にピンセット６の先端を入れれば、ストラップ５をピンセット６でつまむことが可能である。この状態でストラップ５を引っ張り出せば、結び目を緩めることが可能になる。
【００２６】
次に、本発明の更に他の実施形態について説明する。図４（ａ）及び（ｂ）は、各々、本発明の更に他の実施形態を示す断面図及び一部分拡大斜視図である。この実施形態では、筺体の一部を固定柱８にしており、これがストラップ５を結び付けるストラップ固定部として機能する。固定柱８の一部（携帯電話機筐体の外側）に凹部９が設けられ、この凹部９にピンセット６の先端を入れてストラップ５を摘むことが可能である。効果および動作は、図３の実施形態と同じである。
【００２７】
尚、本発明は上述の実施形態のみに限定されるものではなく、本発明の要旨を逸脱しない範囲で種々変形して実施することが出来る。
【図面の簡単な説明】
【００２８】
【図１】本発明の一実施形態を示す図であり、（ａ）は外観図、（ｂ）は一部分拡大斜視図、（ｃ）はＡ−Ａ線断面図である。
【図２】（ａ）、（ｂ）、（ｃ）、（ｄ）は、本発明の一実施形態の動作を順に説明する断面図である。
【図３】（ａ）及び（ｂ）は、各々、本発明の他の実施形態を示す断面図及び一部分拡大斜視図である。
【図４】（ａ）及び（ｂ）は、各々、本発明の更に他の実施形態を示す断面図及び一部分拡大斜視図である。
【図５】（ａ）及び（ｂ）は、各々、従来のストラップ固定構造の一例を示す断面図及び一部分拡大斜視図である。
【図６】（ａ）及び（ｂ）は、各々、従来のストラップ固定構造の他の例を示す断面図及び一部分拡大斜視図である。
【符号の説明】
【００２９】
１    携帯電話機筐体
２    ストラップ穴
３ａ    パイプ
３ｂ    パイプ
４ａ    ピン
４ｂ    ピン
５    ストラップ
７ａ    ピン
７ｂ    ピン
８    固定柱
９    凹部
【図１】
2008092522.tif 000003
【図２】
2008092522.tif 000004
【図３】
2008092522.tif 000005
【図４】
2008092522.tif 000006
【図５】
2008092522.tif 000007
【図６】
2008092522.tif 000008